(57)【要約】【課題】ＰＣ画像をテレビジョン装置の画面に鮮明に表示させることができる放送受信装置及び放送受信装置の信号処理方法を提供する。【解決手段】テレビジョン放送信号を選局して出力するチューナ部と、ここから放送信号を復調して映像信号を出力する復調部と、復調部からの映像信号に応じた映像を画面表示する表示部（２４）と、所定条件が満たされたと判定されると、映像信号をドットバイドットにより表示部に表示するべく映像信号に信号処理を施して表示部に供給する信号処理部（２０）をもつ放送受信装置。【選択図】図１
2008278209.tif 000002
【特許請求の範囲】
【請求項１】
テレビジョン放送信号を選局して出力するチューナ部と、
前記チューナ部からの前記放送信号を復調して映像信号を出力する復調部と、
前記復調部からの映像信号に応じた映像を画面表示する表示部と、
所定条件が満たされたと判定されると、前記映像信号をドットバイドットにより前記表示部に表示するべく前記映像信号に信号処理を施して前記表示部に供給する信号処理部と、
を具備することを特徴とする放送受信装置。
【請求項２】
前記信号処理部は、ＰＣ映像信号のための専用の端子を経由して前記映像信号が供給されたことを前記所定条件としていることを特徴とする請求項１記載の放送受信装置。  
【請求項３】
前記信号処理部は、前記映像信号が静止画像であることを前記所定条件としていることを特徴とする請求項１記載の放送受信装置。  
【請求項４】
前記信号処理部は、前記映像信号をドットバイドットで表示するためのモードが選択されていることを検出すると、前記映像信号をドットバイドットにより前記表示部に表示するべく前記映像信号に信号処理を施して前記表示部に供給することを特徴とする請求項１記載の放送受信装置。
【請求項５】
前記信号処理部は、前記映像信号を水平方向又は垂直方向の少なくとも一方について整数倍にした上で前記表示部に表示するべく前記映像信号に信号処理を施して前記表示部に供給することを特徴とする請求項１記載の放送受信装置。
【請求項６】
前記信号処理部は、入力された位置情報に従って、前記映像信号に応じたドットバイドットの表示領域を前記表示部に配置することを特徴とする請求項１記載の放送受信装置。
【請求項７】
前記信号処理部は、前記表示部が１０８０Ｐ規格（１９２０×１０８０）であり、静止画像を表す映像信号がＶＧＡ規格（６４０×４８０）であるとき、前記映像信号に応じた画像を水平方向につき２倍の画素で表示し垂直方向につき２倍の画素で表示するべく信号処理して前記表示部に供給することを特徴とする請求項１記載の放送受信装置。
【請求項８】
放送受信装置に静止画像を表す映像信号が供給されたことを検出すると、前記放送受信装置に設けられている表示部に前記映像信号に応じた画像をドットバイドットにより表示するべく、前記映像信号に信号処理を施して前記表示部に供給することを特徴とする放送受信装置の信号処理方法。
【請求項９】
テレビジョン放送信号を選局して出力するチューナ部と、
前記チューナ部からの前記放送信号を復調して映像信号を出力する復調部と、
前記復調部からの映像信号に応じた映像を画面表示する表示部と、
静止画像を表す映像信号がＨＤＭＩ端子から供給されると共に、ＥＤＩＤのプライマリ画格がＰＣ映像信号用の画格ではない場合、前記映像信号を供給した外部装置との接続をオフし、前記ＥＤＩＤのプライマリ画格をＰＣ映像信号用の画格に書き換え、前記外部装置との接続をオンする信号処理部を具備することを特徴とする放送受信装置。
【請求項１０】
前記信号処理部が書き換えるＰＣ映像信号用の画格は、前記表示部が１０８０Ｐ規格（１９２０×１０８０）であるとき、ＶＧＡ規格（６４０×４８０）と、ＳＶＧＡ規格（８００×６００）とＸＧＡ規格（１０２４×７６８）との内の少なくとも一つを含んでいることを特徴とする請求項９記載の放送受信装置。
【発明の詳細な説明】
【技術分野】
【０００１】
この発明は、放送受信装置の表示部に静止画であるＰＣ映像を鮮明に表示させる放送受信装置及び放送受信装置の信号処理方法に関する。
【背景技術】
【０００２】
最近、デジタル機器が非常に普及しており、この結果、一人のユーザが多くのデジタル機器を所有する状況が生じ、例えばＰＣからの映像信号をテレビ受像機で表示させたいという要望がある。これに対して、ＰＣ映像をテレビ受像機の画面に表示させるための多くの技術が知られている。
【０００３】
特許文献１は、入力ＰＣの映像信号が静止画か動画かを判断し、判断結果に応じて表示映像信号の切り替え制御を行なうことを開示している。
【０００４】
又、特許文献２は、ＨＤＭＩを用いた映像信号変換装置であって、ＨＤＭＩの解像度を設定するための情報であるＥＤＩＤを受けて、これに応じた信号を自動的に出力することで、鮮明なＰＣ映像をテレビ受像機の画面に表示させるための技術を開示している。
【特許文献１】特開平１１−２９８８０８号公報
【特許文献２】特開２００４−０４８２２４号公報
【発明の開示】
【発明が解決しようとする課題】
【０００５】
しかし、特許文献１の従来技術は、映像信号に対して、スケーリング処理等を行なうことにより、例えば、表計算アプリケーションの罫線等が二重になって不鮮明に表示されるという不具合が生じる。
【０００６】
また、特許文献２の従来技術は、テレビジョン装置からソース装置に供給されるＥＤＩＤ等が一般のＡＶ機器用の画格を推奨している場合は、これに応じることができずに、やはり不鮮明な画像で画面に表示されてしまうという不具合が生じる。
【０００７】
本発明は、ＰＣ画像をテレビジョン装置の画面に鮮明に表示させることができる放送受信装置及び放送受信装置の信号処理方法を提供することを目的とする。
【課題を解決するための手段】
【０００８】
課題を解決するための一実施形態は、
テレビジョン放送信号を選局して出力するチューナ部（１１）と、
前記チューナ部からの前記放送信号を復調して映像信号を出力する復調部（１５）と、
前記復調部からの映像信号に応じた映像を画面表示する表示部（２４）と、
所定条件が満たされたと判定されると、前記映像信号をドットバイドットにより前記表示部に表示するべく前記映像信号に信号処理を施して前記表示部に供給する信号処理部（２０）と、を具備することを特徴とする放送受信装置である。
【発明の効果】
【０００９】
Ｄ−Ｓｕｂ端子やＨＤＭＩ端子から供給され静止画を含むＰＣ画像信号を認識すると、これをフォーマット変換やスケーリング処理等が行なわないドットバイドット表示に自動的に設定して、ユーザの操作なしに鮮明なＰＣ画像をテレビ受像機の画面に表示する。
【発明を実施するための最良の形態】
【００１０】
以下、この発明の実施の形態について図面を参照して詳細に説明する。
【００１１】
＜本発明の一実施形態に係る放送受信装置の一例＞
初めに、本発明の一実施形態に係る放送受信装置の一例を図面を用いて詳細に説明する。図１は、本発明の一実施形態に係る放送受信装置の構成の一例を示すブロック図である。
【００１２】
（放送受信装置の構成）
本発明の一実施形態であるデジタルテレビジョン装置等の放送受信装置１０の構成の一例を、以下に図面を用いて詳細に説明する。図１は、本発明の一実施形態に係る放送受信装置の構成の一例を示すブロック図である。
【００１３】
放送受信装置１０において、図１に示すように、制御部３０は全体の動作を司るべくデータバスを介して各部に接続されている。又、制御部３０は、ＲＯＭ３５−１と、ＲＡＭ３５−２と、不揮発性メモリ３５−３と、画格制御部３５−４を含んでいる。
【００１４】
放送受信装置１０は、更に、入力側に、オーディオ端子１２と、ＰＣ装置からＰＣ映像信号が供給される専用の端子の一例であるＤ−Ｓｕｂ端子１３及びＨＤＭＩ（High-Definition Multimedia Interface）端子１４とを有しており、これらはそれぞれ、音声ＡＤ変換部１６と、映像ＡＤ変換部１７と、ＨＤＭＩ受信部１８とに接続されている。Ｄ−Ｓｕｂ端子１３とＨＤＭＩ端子１４には、例えば、ＰＣ装置１０１が接続されている。なお、ＰＣ装置からＰＣ映像信号が供給される専用の端子は、Ｄ−Ｓｕｂ端子１３及びＨＤＭＩ端子１４には限定されず、広く、ＰＣ装置等から映像信号等を供給することに使用できる端子であれば対象の範囲である。
【００１５】
放送受信装置１０は、図１に示すように、更に、ＢＳ／ＣＳ／地上波デジタルチューナやＢＳ／地上波アナログチューナ等のチューナ部１１と、チューナ部１１からの選局信号を復調する復調器１５と、復調器１５からの信号を処理する信号処理部１９と、信号処理部１９や音声ＡＤ変換部１６からの音声信号の増幅処理等を行なう音声処理部２１と、この音声信号が供給されるスピーカ２２を有している。
【００１６】
放送受信装置１０は、図１に示すように、更に、映像ＡＤ変換部１７と、ＨＤＭＩ受信部１８からの映像信号及び信号処理部１９からの映像信号が供給される映像処理部２０と、本来の映像信号に重畳する操作情報や番組情報を生成するＯＳＤ信号生成部３４と、映像処理部２０からの映像信号が供給される表示部２４を有している。
【００１７】
又、放送受信装置１０は、図１に示すように、操作系として、チャンネルや音量、各設定スイッチ等の操作部３２と、操作部３２とほぼ同等の操作を行なうリモコンＲと、リモコンＲの受光部３３を有している。
【００１８】
また、映像処理部２０は、映像信号が静止画像であるか又は静止画像を多く含んでいるかを映像信号中の隣接するフレーム画像間で比較して判断する静止画検出部４０を有している。更に、映像処理部２０は、インターレス信号をプログレッシブに変換するＩＰ変換部４１と、コアリング処理及びエンハンス処理を行なう画質処理部４２と、ドットバイドット処理を行なうドットバイドット処理部４３と、スケーリング処理を行なうスケーリング部４４と、映像信号のγ補正を行なうγ補正部４５を有している。
【００１９】
（動作）
このような構成をもった放送受信装置１０は、放送信号が受信アンテナから例えばチューナ部１１に入力され、ここで選局が行われる。選局され復調されたパケット形式の復調信号は、復調器１５により復調され、信号処理部１９で種類別のパケットに分離され、音声映像用パケットがＭＰＥＧデコーダでデコード処理されて映像音声信号となって、音声処理部２１及び映像処理部２０に供給される。映像処理部２０は、与えられた映像信号について、ＩＰ変換部４１によりインターレス信号をプログレッシブに変換され、画質処理部４２ではコアリング処理及びエンハンス処理が施され、スケーリング部４４ではスケーリング処理が施され、γ補正部４５では、映像信号のγ補正が施された後に、処理された映像信号に応じたテレビジョン放送の映像が表示部２４上に表示される。
【００２０】
＜本発明の一実施形態である放送受信装置における画格処理の一例＞
次に、本発明の一実施形態である放送受信装置１０における画格処理の一例を図面を用いて詳細に説明する。
【００２１】
この画格処理とは、ＬＣＤ等、画素毎に駆動するディスプレイを有するテレビ受像機にＰＣ映像信号を入力した場合、その映像が動画か静止画かを判別し、静止画である場合、静止画に適した画格に自動的に変更する放送受信装置１０である。これにより、ユーザに煩雑な操作を強いることなくＰＣ映像の静止画に最適な映像を提供できる。
【００２２】
図２は、本発明の一実施形態に係る放送受信装置における画格変更処理の一例を示すフローチャートである。図３は、同じく放送受信装置における画格変更処理の一例を示すフローチャートである。図４は、同じく放送受信装置におけるＰＣからの入力信号と表示部の画格との対応関係の一例を示す説明図である。図５は、同じく放送受信装置における画面表示設定の一例を示す説明図である。図６は、同じく放送受信装置における表示部上に示された映像信号の表示の一例を示す説明図である。
【００２３】
なお、以下の図２、図３及び図７、図８のフローチャートの各ステップは、コンピュータプログラムとこのプログラムを実行するコンピュータとにより実現する。しかし、これら図２、図３及び図７、図８のフローチャートの各ステップは、回路ブロックに置き換えることができ、従って、各フローチャートのステップは、全てブロックに定義しなおすことが可能である。
【００２４】
本発明の一実施形態である放送受信装置１０は、図２のフローチャートに示すように、制御部３０及び画格制御部３５−４は、例えば、図５に示す画面表示設定等により、『ドットバイドット自動変更モード』が既にオンと設定されているかどうかを、ＲＡＭ−２等を参照することで判断する。制御部３０及び画格制御部３５−４は、『ドットバイドット自動変更モード』が既にオンと設定されており、何らかの映像信号が端子等から供給されると判断すると(ステップＳ１１)、映像信号がＤ−Ｓｕｂ端子かＨＤＭＩ端子から供給されたものかを確認する (ステップＳ１２)。
【００２５】
ここで、映像信号がＤ−Ｓｕｂ端子又はＨＤＭＩ端子から供給されたものでなければ、制御部３０及び画格制御部３５−４は、ドットバイドットの処理は行なわず、通常のスケーリング部４４によるスケーリング処理を行なって、映像信号に応じた画像を表示部２４の画面に合った大きさに表示する。
【００２６】
ここで、制御部３０及び画格制御部３５−４は、映像信号がＤ−Ｓｕｂ端子かＨＤＭＩ端子から供給されたものと判断すれば、映像信号が静止画であるかどうかを判断する(ステップＳ１３)。制御部３０及び画格制御部３５−４は、映像信号が静止画であると判断しなければ、通常どおり、ドットバイドットの処理は行なわず、通常のスケーリング部４４によるスケーリング処理を行なって、映像信号に応じた画像を表示部２４の画面に合った大きさに表示する。
【００２７】
ここで、制御部３０及び画格制御部３５−４は、静止画検出部４０の検出結果により映像信号が静止画であると判断すれば、画像信号に応じた画像をドットバイドットの画格で表示するべく、映像処理部２０のドットバイドット処理部４３によって画像信号を処理する。なお、ここで映像信号が静止画であるとは、映像信号の全てが静止画である場合でも、映像信号の一定量以上が静止画である場合でもよく、ユーザの要望に応じてどの形態も含んでいる。
【００２８】
ここで、ドットバイドットとは、映像信号にスケーリング処理等を行なわずに、そのままディスプレイの画素の数にあわせて画像表示するものである。この結果、例えば、表計算アプリケーションの罫線が部分的に２本になったり１本になったりして画像全体が不鮮明になるということがない。
【００２９】
ここで、表示部２４の規格とＰＣ映像信号の規格との関係を図４を参照して考慮する。ＰＣ映像信号の規格として以下がある、
『ＶＧＡ：６４０×４８０』
『ＳＶＧＡ：８００×６００』
『ＸＧＡ：１０２４×７６８』
『ＷＸＧＡ：１２８０×７６８』
『ＳＸＧＡ：１２８０×１０２４』
ＴＶの表示部２４のサイズとして以下がある
『１０８０Ｐ：１９２０×１０８０』
『ＷＸＧＡ：１２８０×７６８』
(１３６６×７６８  のものでＷＸＧＡパネルと呼ばれているものもある)
『４８０Ｐ：７２０×４８０』
『７２０Ｐ：１２８０×７２０』
『（１９２０×２）×（１０８０×２）』。
【００３０】
このとき、ドットバイドット表示が可能なのは、
（ＰＣ映像信号の画素数）＜（表示部の画素数）
であることがわかる。
【００３１】
又、ここで、『ＶＧＡ：６４０×４８０』は、例えば、水平方向と垂直方向に２倍にして、『１０８０Ｐ：１９２０×１０８０』に表示することが可能である。
【００３２】
その後、制御部３０及び画格制御部３５−４は、ドットバイドット表示を行なった場合に背景が空白となるため、その背景画像を生成して画像信号に重畳する(ステップＳ１５)。このようにして、例えば、ＰＣ映像信号『ＶＧＡ：６４０×４８０』を表示部『１０８０Ｐ：１９２０×１０８０』に表示する場合、図６の表示領域Ｄ１又は表示領域Ｄ２のように表示する。
【００３３】
この結果、ユーザは特別な操作を行なうことなく、ドットバイドット表示により、ＰＣ映像信号の映像を表示することができる。この表示方法は、例えば“１．７２５８倍”等の切りの悪い数値で映像信号をスケーリング処理をしたことにより、表計算アプリケーションの罫線が太くなったり細くなったりする等の画面の不鮮明さを生じさせることがない。
【００３４】
又、図２のフローチャートでは、『入力ソースがＤ−Ｓｕｂ端子かＨＤＭＩ端子から供給され』、『ＰＣ映像信号が静止画である』という条件がそろったことで、ドットバイドット処理が初めて行なわれるかのように記載されているが、本発明はこれらの記載に限定されるものではない。
【００３５】
すなわち、ドットバイドット処理の条件は、上述した諸条件の一つのみを満たす場合でもよく、多くの条件の一部を必須条件とすることも可能である。従って、例えば、『ＰＣ映像信号のための専用の端子を経由して映像信号が放送受信装置１０に供給されたと判定された』ことを条件としてもよいし、具体的なＰＣ映像信号のための専用の端子を特定することもよい。又、『ＰＣ映像信号が静止画であること』が検出されたことだけを条件としてもよく、これらの組合せを条件とすることも好適である。
【００３６】
又、『ＰＣ映像信号が静止画であること』を必須とせず、映像信号が動画であっても、ドットバイドット処理を行なうことも好適である。すなわち、ドットバイドット処理を行なうかどうかの条件は任意であり、ユーザが望む条件に合致する場合にドットバイドット処理を行なうことが好適である。
【００３７】
又、ＰＣ映像信号に対して、上述したドットバイドット処理を行なうと共に、扱う信号がＡＶ映像信号ではなくＰＣ映像信号であることを認識したら、映像信号に対してシャープネスやコントラストを強調して、より見やすいＰＣ映像とすることが好適である。
【００３８】
なお、図５の画面表示設定は、ユーザがリモコンＲ等から操作することで、初期設定事項として、設定可能な事項であり、
『ドットバイドット自動変更モードの』のオンオフ、『ＰＣ映像信号：６４０×４８０』や『ＰＣ映像信号：８００×６００』の際のドットバイドットを整数倍するか否かを決定する。更に、表示部２４の表示画面中のドットバイドットの表示領域の位置を『中央』『上部』等、表示座標等も決定することができる。
【００３９】
又、画質モードについて、ＰＣ映像信号であれば、シャープネスやコントラストを強調する、ＡＶ映像信号は照度を増す等の各種設定が可能である。
【００４０】
更に、図３のフローチャートは、図２のフローチャートと共通部分であるステップＳ１０乃至ステップＳ１３、ステップＳ１５乃至Ｓ１６は、共通した表現であり説明を省略する。ここで、図３のフローチャートのステップＳ２１において、制御部３０及び画格制御部３５−４は、ＰＣ映像信号の画素数を検出して、現在の表示部２４の画素数と比較する(ステップＳ２１)。そして、初期設定にて例えば（２×２）の整数倍の表示処理が設定されていれば、図６の表示領域Ｄ３のように、例えば、『ＶＧＡ：６４０×４８０』を（２×２）の整数倍で拡大して表示する。
【００４１】
ここでは、ＰＣ映像信号を整数で拡大することで、計算上の歪がないため、従来のようにＰＣ映像画面に歪が生じることなく、ドットバイドットの場合と同様に、鮮明な映像を表示することができる。
【００４２】
＜本発明の一実施形態である画格処理の一例＞
次に、図面を用いて本発明の一実施形態である画格処理の一例を詳細に説明する。  
ＨＤＭＩ規格では放送受信装置１０からＰＣ装置１０１等にＥＤＩＤ（Extended Display Identification Data）を供給して推薦する画格情報を提供している。この実施形態においては、ＰＣ装置１０１等からＰＣ映像信号が来ていれば、推薦する画格情報をＡＶ映像信号用のものからＰＣ映像信号用のものに自動的に書き換えるものである。これにより、相手側のＰＣ装置１０１では、放送受信装置１０が得意とするＰＣ映像信号用の画格情報を知ることができ、この推薦する画格情報に従って映像信号を変換して供給する。これにより、ＰＣ装置１０１からの映像信号のより鮮明な画面表示がユーザの特別な操作を必要とすることなしに可能となるものである。
【００４３】
図７は、本発明の一実施形態に係る放送受信装置１０における画格変更処理の一例を示すフローチャートである。図８は、同じく放送受信装置１０からの画格情報を受けたＰＣ装置における画格変更処理の一例を示すフローチャートである。
【００４４】
すなわち、制御部３０及び画格制御部３５−４は、図７に示すフローチャートにおいて、初期設定において、ＥＤＩＤ自動切換えモードが選択されているかを判断する(ステップＳ３０)。そして、このモードが選択されていれば、制御部３０及び画格制御部３５−４は、入力ソースがＨＤＭＩ端子から供給されているかどうかを判断する(ステップＳ３１)。入力ソースがＨＤＭＩ端子から供給されていれば(ステップＳ３２)、制御部３０及び画格制御部３５−４は、この映像信号が静止画像を示しているかどうかを判断する(ステップＳ３３)。
【００４５】
制御部３０及び画格制御部３５−４が、この映像信号が静止画像を示していると判断すれば(ステップＳ３３）、ＨＤＭＩ端子から相手のＰＣ装置１０１に供給されるＥＤＩＤのプライマリ画格がＰＣ映像信号用の画格情報になっているかを判断する(ステップＳ３４)。制御部３０及び画格制御部３５−４が、プライマリ画格がＰＣ映像信号用の画格情報になっていないと判断すれば、ソース機器（ＰＣ装置１０１）との接続をオフにして、ＨＰＤ（Hot Plug Detect）をオフにする(ステップＳ３５)。そして、制御部３０及び画格制御部３５−４は、ＥＤＩＤのプライマリ画格をＰＣ映像信号用の画格情報に書き換える(ステップＳ３６)。その上で、制御部３０及び画格制御部３５−４は、ソース機器との接続を再びオンして、ＨＰＤをオンにする(ステップＳ３７)。
【００４６】
こうすることで、ＰＣ装置１０１は、次のように、放送受信装置１０が推薦するＰＣ映像信号用の画格情報に映像信号を変換させて、放送受信装置１０の表示部２４に鮮明な画像を表示させることが可能となる。
【００４７】
（ＥＤＩＤ変更例）
次に、ＥＤＩＤの具体的な変更例を以下に説明する。図９乃至図１４は、本発明の一実施形態に係る放送受信装置１０からＰＣ装置等に供給される変更前のＥＤＩＤの一例を示した説明図である。更に、図１５乃至図２０は、変更後のＰＣ映像信号用の画格情報を示すＥＤＩＤである。更に、図２１乃至図２６は、変更後のデジタルカメラ等に供給される変更後のデジタルカメラ映像用画格情報を示すＥＤＩＤである。
【００４８】
・変更前のＡＶ映像信号用の画格情報
図９乃至図１４において、変更前のＡＶ映像信号用の画格情報を示すＥＤＩＤの一例が示されている。  
すなわち、図９において、First Detailed Timing Descriptor (Preferred)において、
ＡＶ映像信号用の画格情報として、『１９２０×１０８０』（１０８０ｉ）の映像規格が推薦されている。
【００４９】
同様に、図９において、Second Detailed Timing Descriptor (Next Preferred)において、
ＡＶ映像信号用の画格情報として、『７２０×４８０』（４８０ｐ＿Ｈ７２０）の映像規格が推薦されている。
【００５０】
同様に、図１２において、Third Detailed Timing Descriptor において、
ＡＶ映像信号用の画格情報として、『１２８０×７２０』（７２０ｐ）の映像規格が推薦されている。
【００５１】
同様に、図１２において、Fourth Detailed Timing Descriptor において、
ＡＶ映像信号用の画格情報として、『１４４０×４８０』（４８０ｉ＿Ｈ１４４０）の映像規格が推薦されている。
【００５２】
同様に、図１３において、Fifth Detailed Timing Descriptor において、
ＡＶ映像信号用の画格情報として、『７２０×９６０』（９６０ｉ）の映像規格が推薦されている。
【００５３】
同様に、図１３において、Sixth Detailed Timing Descriptorにおいて、
ＡＶ映像信号用の画格情報として、『１４４０×４８０』（４８０ｉ＿Ｈ１４４０）の映像規格が推薦されている。
【００５４】
・ＰＣ映像信号用の画格情報
次に、図１５乃至図２０において、変更後のＰＣ映像信号用の画格情報を示すＥＤＩＤ
の一例が示されている。  
すなわち、図１５において、First Detailed Timing Descriptor (Preferred)において、
ＰＣ映像信号用の画格情報として、『ＶＧＡ：６４０×４８０』の映像規格が推薦されている。
【００５５】
同様に、図１５において、Second Detailed Timing Descriptor (Next Preferred)において、
ＰＣ映像信号用の画格情報として、『ＳＶＧＡ：８００×６００』の映像規格が推薦されている。
【００５６】
同様に、図１８において、Third Detailed Timing Descriptorにおいて、
ＰＣ映像信号用の画格情報として、『ＸＧＡ：１０２４×７６８』の映像規格が推薦されている。
【００５７】
・デジタルカメラ映像用画格情報
次に、図２１乃至図２６において、変更後のデジタルカメラ映像用の画格情報を示すＥＤＩＤである。
【００５８】
すなわち、図２１において、First Detailed Timing Descriptor (Preferred)において、
デジタルカメラ映像用の画格情報として、『６４０×４８０』の映像規格が推薦されている。
【００５９】
同様に、図２１において、Second Detailed Timing Descriptor (Next Preferred)において、
デジタルカメラ映像用の画格情報として、『１２８０×９６０』の映像規格が推薦されている。
【００６０】
同様に、図２４において、Third Detailed Timing Descriptor において、
デジタルカメラ映像用の画格情報として、『１６００×１２００』の映像規格が推薦されている。
【００６１】
すなわち、放送受信装置１０からデジタルカメラ映像用の画格情報を外部装置（デジタルカメラ等）に供給することで、今度はデジタルカメラの映像に合った画格でデジタルカメラの映像信号を放送受信装置１０に供給して表示することが可能となる。
【００６２】
（ＰＣ装置１０１における画格変更処理）
すなわち、図８のフローチャートにおいて、ＰＣ装置１０１は、放送受信装置１０からＥＤＩＤを取得する(ステップＳ４１)。そして、取得したＥＤＩＤに応じて映像信号の出力が可能かを判断し(ステップＳ４２)、可能であれば、ＥＤＩＤが示すＡＶ映像信号用の画格情報で映像信号を送信する(ステップＳ４３)。
【００６３】
その後、図７のフローチャートのステップＳ３６が示すように、ＡＶ映像信号用の画格情報からＰＣ映像信号用の画格情報に書き換えられたものが、ＰＣ装置１０１に再度送られてくる。ＰＣ装置１０１は、この新たなＥＤＩＤが送られてきたことを検出すると(ステップＳ４４)、ステップＳ４１に戻って、新たなＥＤＩＤが示すＰＣ映像信号用の画格情報に応じたものに映像信号を変換して、放送受信装置に送信する(ステップＳ４３)。
【００６４】
こうすることで、ユーザが特別な操作を行なうことなく、放送受信装置１０が推薦するＰＣ映像信号用の画格情報による映像信号がＰＣ装置１０１から放送受信装置１０に供給されることになる。これにより、放送受信装置１０の表示部２４には、鮮明なＰＣ映像を表示することが可能となるものである。
【００６５】
又、図７のフローチャートでは、ＰＣ映像信号が静止画であることを条件にＥＤＩＤの書換処理を行なっているが、映像信号が動画であっても、ＥＤＩＤの書換処理を行なうことも好適である。すなわち、ＥＤＩＤの書換処理を行なうかどうかの条件は任意であり、ユーザが望む条件に合致する場合にＥＤＩＤの書換処理を行なうことが好適である。
【００６６】
又、ＰＣ映像信号に対して、上述したＥＤＩＤの書換処理を行なうと共に、扱う信号がＡＶ映像信号ではなくＰＣ映像信号であることを認識したら、映像信号に対してシャープネスやコントラストを強調して、より見やすいＰＣ映像とすることが好適である。
【００６７】
なお、図５の画面表示設定は、ユーザがリモコンＲ等から操作することで、初期設定事項として、設定可能な事項であり、『ＥＤＩＤの自動書換処理モード』のオンオフ等もこの画面から設定することが好適である。
【００６８】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００６９】
【図１】本発明の一実施形態に係る放送受信装置の構成の一例を示すブロック図。
【図２】本発明の一実施形態に係る放送受信装置における画格変更処理の一例を示すフローチャート。
【図３】本発明の一実施形態に係る放送受信装置における画格変更処理の一例を示すフローチャート。
【図４】本発明の一実施形態に係る放送受信装置におけるＰＣからの入力信号と表示部の画格との対応関係の一例を示す説明図。
【図５】本発明の一実施形態に係る放送受信装置における画面表示設定の一例を示す説明図。
【図６】本発明の一実施形態に係る放送受信装置における表示部上に示された映像信号の表示の一例を示す説明図。
【図７】本発明の一実施形態に係る放送受信装置における画格変更処理の一例を示すフローチャート。
【図８】本発明の一実施形態に係る放送受信装置からの画格情報を受けたＰＣ装置における画格変更処理の一例を示すフローチャート。
【図９】本発明の一実施形態に係る放送受信装置からＰＣ装置等に供給される変更前のＥＤＩＤの一例を示した説明図。
【図１０】本発明の一実施形態に係る放送受信装置からＰＣ装置等に供給される変更前のＥＤＩＤの一例を示した説明図。
【図１１】本発明の一実施形態に係る放送受信装置からＰＣ装置等に供給される変更前のＥＤＩＤの一例を示した説明図。
【図１２】本発明の一実施形態に係る放送受信装置からＰＣ装置等に供給される変更前のＥＤＩＤの一例を示した説明図。
【図１３】本発明の一実施形態に係る放送受信装置からＰＣ装置等に供給される変更前のＥＤＩＤの一例を示した説明図。
【図１４】本発明の一実施形態に係る放送受信装置からＰＣ装置等に供給される変更前のＥＤＩＤの一例を示した説明図。
【図１５】本発明の一実施形態に係る放送受信装置からＰＣ装置等に供給される変更後のＰＣ映像用画格を示すＥＤＩＤの一例を示した説明図。
【図１６】本発明の一実施形態に係る放送受信装置からＰＣ装置等に供給される変更後のＰＣ映像用画格を示すＥＤＩＤの一例を示した説明図。
【図１７】本発明の一実施形態に係る放送受信装置からＰＣ装置等に供給される変更後のＰＣ映像用画格を示すＥＤＩＤの一例を示した説明図。
【図１８】本発明の一実施形態に係る放送受信装置からＰＣ装置等に供給される変更後のＰＣ映像用画格を示すＥＤＩＤの一例を示した説明図。
【図１９】本発明の一実施形態に係る放送受信装置からＰＣ装置等に供給される変更後のＰＣ映像用画格を示すＥＤＩＤの一例を示した説明図。
【図２０】本発明の一実施形態に係る放送受信装置からＰＣ装置等に供給される変更後のＰＣ映像用画格を示すＥＤＩＤの一例を示した説明図。
【図２１】本発明の一実施形態に係る放送受信装置からデジタルカメラ等に供給される変更後のデジタルカメラ映像用画格を示すＥＤＩＤの一例を示した説明図。
【図２２】本発明の一実施形態に係る放送受信装置からデジタルカメラ等に供給される変更後のデジタルカメラ画像用画格情報を示すＥＤＩＤの一例を示した説明図。
【図２３】本発明の一実施形態に係る放送受信装置からデジタルカメラ等に供給される変更後のデジタルカメラ画像用画格情報を示すＥＤＩＤの一例を示した説明図。
【図２４】本発明の一実施形態に係る放送受信装置からデジタルカメラ等に供給される変更後のデジタルカメラ画像用画格情報を示すＥＤＩＤの一例を示した説明図。
【図２５】本発明の一実施形態に係る放送受信装置からデジタルカメラ等に供給される変更後のデジタルカメラ画像用画格情報を示すＥＤＩＤの一例を示した説明図。
【図２６】本発明の一実施形態に係る放送受信装置からデジタルカメラ等に供給される変更後のデジタルカメラ画像用画格情報を示すＥＤＩＤの一例を示した説明図。
【符号の説明】
【００７０】
１１…チューナ部、１２…オーディオ端子、１３…Ｄ−Ｓｕｂ端子、１４…ＨＤＭＩ端子、１５…復調器、１６…音声ＡＤ変換部、１７…映像ＡＤ変換部、１８…ＨＤＭＩ、１９…信号処理部、２０…映像処理部、２１…音声処理部、２２…スピーカ、２４…表示部、３０…制御部、３２…操作部、３３…受光部、３４…ＯＳＤ信号生成部、３５−１…ＲＯＭ、３５−２…ＲＡＭ、３５−３…不揮発性メモリ、３５−４…画格制御部、４３…ドットバイドット処理部、１０１…ＰＣ、Ｒ…リモコン。
【図１】
2008278209.tif 000003
【図２】
2008278209.tif 000004
【図３】
2008278209.tif 000005
【図４】
2008278209.tif 000006
【図５】
2008278209.tif 000007
【図６】
2008278209.tif 000008
【図７】
2008278209.tif 000009
【図８】
2008278209.tif 000010
【図９】
2008278209.tif 000011
【図１０】
2008278209.tif 000012
【図１１】
2008278209.tif 000013
【図１２】
2008278209.tif 000014
【図１３】
2008278209.tif 000015
【図１４】
2008278209.tif 000016
【図１５】
2008278209.tif 000017
【図１６】
2008278209.tif 000018
【図１７】
2008278209.tif 000019
【図１８】
2008278209.tif 000020
【図１９】
2008278209.tif 000021
【図２０】
2008278209.tif 000022
【図２１】
2008278209.tif 000023
【図２２】
2008278209.tif 000024
【図２３】
2008278209.tif 000025
【図２４】
2008278209.tif 000026
【図２５】
2008278209.tif 000027
【図２６】
2008278209.tif 000028